(57)【特許請求の範囲】
【請求項１】
かぶせ部とカバンの本体とを留める留め具において、
前記本体側に取り付けられ、ベース部と、前記ベース部上に前記かぶせ部側に立ち上がり、オス側開口部を有する凸部を有するオス部材と、
前記かぶせ部に取り付けられ、前記凸部を挿入するためのメス側開口部と、前記メス側開口部に前記凸部を挿入した状態で、前記オス側開口部に押し下げた押下状態で閉、また前記オス側開口部から押し上げた押上状態で開、さらに前記押下状態と前記押上状態とをそれぞれ維持できるように固定する固定部を有するメス部材と、
を備えることを特徴とする留め具。
【請求項２】
前記固定部は、前記メス部材に形成された溝に挿入されたスライドロックであることを特徴とする請求項１記載の留め具。
【請求項３】
前記メス部材と、前記スライドロックがプラスチックで成型され、
前記スライドロックの側壁に、両端を切り欠くことによって形成されたバネ部を備え、  前記メス部材に形成された溝の内壁に、前記バネ部の先端がひっかかる凸部を設けたことを特徴とする請求項２記載の留め具。
【請求項４】
前記メス部材がプラスチックで成型され、
前記スライドロックの挿入方向側先端の前記メス部材側に先端側が細くなるようにテーパが設けられ、
前記メス部材に、前記スライドロックのテーパと接触するように、前記スライドロックの挿入方向側先端が盛り上がるように形成されたテーパを備え、両端を切り欠くことによって形成されたバネ部を備えることを特徴とする請求項２記載の留め具。
【請求項５】
前記スライドロックの挿入方向側先端の前記メス部材側に先端側が細くなるようにテーパが設けられ、
前記オス部材の凸部上面の、前記スライドロックが挿入されてくる方向側にテーパが設けられていることを特徴とする請求項２記載の留め具。
【発明の詳細な説明】
【技術分野】
【０００１】
本発明は、留め具に関し、特にかぶせ部とカバンの本体などとを留める留め具に関する。
【背景技術】
【０００２】
従来からカバンのかぶせ部が開かないようにする留め具は、様々なバリエーションのものが提案されている。たとえば、図８，９に示すように、カバン１０の本体部１２にコの字状の門型の留め具２１を設け、カバン１０のかぶせ部１１に帯３０を設け、かぶせ部１１を本体部１２にかぶせるとともに、かぶせ部１１に取り付けられたベース金具２２の開口部２２ａに門型の留め具２１を挿入する。そして、かぶせ部１１に設けられた帯３０を本体部１２に設けられた門型の留め具２１に通すことによりかぶせ部１１がばたつかないように安定させる留め具が提案されている。
【０００３】
しかし、このような留め具によると、カバン全体の製造工程において、留め具をカバンに取り付ける取り付け工程が増えてしまい、結果としてカバンの製造コストが上昇してしまうという問題がある。具体的には、このような金具を取り付ける場合、本体部１２に留め具２１を取り付け、かつかぶせ部１１に穴を開けた上で、その開けた穴に開口部２２ａを合わせてベース金具２２を取り付ける。さらに、かぶせ部１１に帯３０を別工程で取り付けなければならず、製造工程が多くなってしまう。
【０００４】
また、このような留め具においては、片手で閉めることが難しい。すなわち、片手で帯を門型の留め具に通すことは難しい。閉めることを簡易にするために、たとえば帯を細くして通しやすくすると、かぶせ部がすぐに外れてしまい、かぶせ部がばたつかないようするという安定性に欠ける。
【０００５】
このような問題を解決しようと試みる留め具も提案されている。たとえば、カバン本体側に凹状部を備え、磁石を内蔵した受止体と、かぶせ部側に凸状部を備える掛止体とを備える留め具が提案されている（たとえば、特許文献１参照）。
【先行技術文献】
【特許文献】
【０００６】
【特許文献１】特開２０００−４１７２３号公報
【発明の概要】
【発明が解決しようとする課題】
【０００７】
しかし、磁石で固定する留め具だと、内容物が多い場合に受止体と、掛止体が嵌合しにくくなったり、外れやすくなってしまうという問題がある。また、外れにくくするために磁力の強い磁石を使うと、開けにくくなったりすることや、磁力によって影響が出る記憶媒体や、電子機器などを考慮すると、一定以上の磁力の磁石は使えず、結果的に受止体と掛止体が外れやすくなってしまうことなどの問題の根本的な解決は図られない。
【０００８】
本発明はこのような点に鑑みてなされたものであり、片手で簡単に開閉することができ、かつしっかり固定される留め具を提供することを目的とする。
【課題を解決するための手段】
【０００９】
本発明では上記問題を解決するために、カバンの本体とかぶせ部などとを留める留め具において、前記本体側に取り付けられ、ベース部と、前記ベース部状に前記かぶせ部側に立ち上がり、オス側開口部を有するコの字状の凸部を有するオス部材と、前記かぶせ部に取り付けられ、前記凸部を挿入するためのメス側開口部と、前記メス側開口部に前記凸部を挿入した状態で、前記オス側開口部に挿入して固定する固定部を有するメス部材とを備えることを特徴とする留め具が提供される。
【００１０】
これにより、本体側に取り付けられたオス部材の凸部が、かぶせ部に取り付けられたメス部材に設けられたメス側開口部に挿入された状態で、メス部材に設けられた固定部がオス側開口部に挿入されることにより、オス部材とメス部材が固定される。
【発明の効果】
【００１１】
本発明の留め具によれば、メス部材には、オス部材が挿入されるためのメス側開口部を備え、かつ固定部を備えることにより、本体側に取り付けられたオス部材よりも、かぶせ部に取り付けられたメス部材が大きく形成されている。これにより、かぶせ部側のメス部材がある程度の重みを有し、バッグ本体などという比較的安定した場所に取り付けられたオス部材の凸部をメス部材のメス側開口部に挿入しやすくなっている。また、凸部をメス側開口部に挿入した状態で、メス部材に設けられた固定部をオス側開口部に挿入することによって固定するので、オス部材の凸部とメス部材のメス側開口部が嵌ることにより、メス側開口部の開口面方向に固定され、スムーズに固定部により固定することができる。
【図面の簡単な説明】
【００１２】
【図１】本実施の形態に係る留め具を示す図である。
【図２】メス部材とオス部材の固定方法を示す図である。
【図３】スライドロックの単体を示す図である。
【図４】メス部材の単体を示す図である。
【図５】本実施の形態に係る留め具の装着例を示す側方断面図である。
【図６】スライドロックの外れを防止する機構を説明する図である。
【図７】スライドロックのクリック感を生む構造を示す断面図である。
【図８】従来のカバンのかぶせ部が開かないようにする留め具を示す図である。
【図９】従来のカバンのかぶせ部が開かないようにする留め具を示す図である。
【発明を実施するための形態】
【００１３】
以下、本発明の実施の形態を図面を参照して詳細に説明する。
図１は、本実施の形態に係る留め具を示す図である。
【００１４】
図１に示すように、カバン１０は、かぶせ部１１と本体部１２を備えている。
留め具１００は、かぶせ部１１側のメス部材１１０と、本体部１２側にオス部材１２０とからなる。
【００１５】
メス部材１１０は、メス側開口部１１１が設けられており、このメス側開口部１１１がかぶせ部１１に重ならないようにリベット１３０で固定されている。また、メス部材１１０には、メス側開口部１１１方向にスライドするスライドロック１４０を備えている。
【００１６】
オス部材１２０は、ベース部１２１と、ベース部１２１から本体部１２とは逆方向に立ち上がる門型の凸部１２２を備えており、ベース部１２１が本体部１２にリベット１３０で固定されている。
【００１７】
図２は、メス部材とオス部材の固定方法を示す図である。
図２に示すように、メス部材１１０とオス部材１２０を固定する手順を追って説明する。なお、説明の便宜上、カバン１０などは図示しない。図２（Ａ）に示すように、オス部材１２０の凸部１２２に、メス部材１１０のメス側開口部１１１に位置合わせをする。図２（Ｂ）に示すように、メス側開口部１１１に凸部１２２が挿入された状態で、メス部材１１０に取り付けられたスライドロック１４０を押し下げる。図２（Ｃ）に示すように、スライドロック１４０の先端が、凸部１２２が形成するオス側開口部１２３に挿入されることにより、メス側開口部１１１に挿入された凸部１２２が抜けないようにロックされる。これにより、メス部材１１０とオス部材１２０とが固定される。
【００１８】
本実施の形態に係るメス部材１１０、オス部材１２０、およびスライドロック１４０の各部材はプラスチックで一体に形成されている。以下、各部材の構造を図面を用いて詳細に説明する。
【００１９】
図３は、スライドロックの単体を示す図であり、図３（Ａ）は、スライドロックの側面図であり、図３（Ｂ）は、スライドロックの正面図である。
図３（Ａ）に示すように、スライドロック１４０の側面には、スライドロック１４０の背面が凹状になるように側壁が形成されている。その側壁には、両端が切り欠かれたバネ部１４１が形成されている。また、スライドロック１４０のオス側開口部１２３への挿入方向にテーパ１４２が形成されている。図３（Ｂ）に示すように、スライドロック１４０の正面視両端にはリブ１４３が形成されている。
【００２０】
図４は、メス部材の単体を示す図であり、図４（Ａ）は、メス部材の上面図であり、図４（Ｂ）は、メス部材の正面図である。
図４（Ａ）に示すように、メス部材１１０の上面視中央には、メス部材１１０上端からメス側開口部１１１手前まで溝１１２が形成されている。この溝１１２にスライドロック１４０のリブ１４３を嵌め込んで挿入する。
【００２１】
図４（Ｂ）に示すように、メス部材１１０の正面視中央には、両端が切り欠かれた抜け止めバネ１１３が形成されている。この抜け止めバネ１１３は、溝１１２に挿入されたスライドロック１４０が上方へ抜けるのを防ぐために作用する。
【００２２】
図５は、本実施の形態に係る留め具の装着例を示す側方断面図である。
図５に示すように、メス部材１１０の抜け止めバネ１１３の先端には、スライドロック１４０の方向にせり上がるテーパ１１４が形成されている。スライドロック１４０をメス部材１１０に取り付けるときは、上方から嵌め込まれたスライドロック１４０の先端に形成されているテーパ１４２が、抜け止めバネ１１３に形成されたテーパ１１４に接触する。さらにスライドロック１４０が下方へ押し込まれると、抜け止めバネ１１３がスライドロック１４０とは反対側へ押し込まれる。
【００２３】
テーパ１１４の先端側と、テーパ１４２の根本側には切り落とし部分が設けられており、テーパ部分が終わるまでスライドロック１４０が押し下げられると、押し込まれた抜け止めバネ１１３が戻り、切り落とし部分同士が接触することによりスライドロック１４０が上方へ抜けることを防止する。
【００２４】
図６は、スライドロックの外れを防止する機構を説明する図である。
図６に示すように、スライドロック１４０が点線に示す位置にあるときにメス側開口部１１１に凸部１２２が挿入されると、スライドロック１４０が押し上げられて、スライドロック１４０が外れてしまうおそれがある。
【００２５】
そこで、凸部１２２の上面にもテーパ１２４が設けられている。これにより、下端までスライドロック１４０が下がった状態であっても、スライドロック１４０の先端部に設けられたテーパ１４２と、凸部１２２の上面に設けられたテーパ１２４が接触することにより、凸部１２２が押し上げられるとともに、スライドロック１４０も押し上げられる。
【００２６】
これにより、スライドロック１４０がメス側開口部１１１にかぶる位置に下がっているときに、メス側開口部１１１に誤って凸部１２２を押し込んだとしても、スライドロック１４０が外れることを防止することができる。
【００２７】
図７は、スライドロックのクリック感を生む構造を示す断面図である。
図７に示すように、スライドロック１４０を取り付けた状態でメス部材１１０を背面から見たとき、バネ部１４１が上の位置（開状態）と下の位置（閉状態）で固定されるように、両端に溝を有する凸部１１５が設けられている。
【００２８】
これにより、上部の溝にバネ部１４１が嵌り込んでいるときに開状態が維持され、(株)の溝にバネ部１４１が嵌り込んでいるときに閉状態が維持される。また、開状態から閉状態に移行するときに、凸部１１５によりバネ部１４１が内側へ押し込まれクリック感を生む。すなわち、ユーザは目視せずとも開状態から閉状態、もしくは閉状態から開状態へ移行したことをクリック感によって判断することができる。
【００２９】
なお、メス部材１１０に形成された溝１１２はメス側開口部１１１の手前までしか形成されていないことにより、スライドロック１４０は閉状態からさらに下方へ押し込まれても、溝１１２の下端に接触することにより下方への抜けが防止される。
【符号の説明】
【００３０】
１０  カバン
１１  かぶせ部
１２  本体部
２１  留め具
２２  ベース金具
２２ａ  開口部
３０  帯
１００  留め具
１１０  メス部材
１１１  メス側開口部
１１２  溝
１１３  抜け止めバネ
１１４  テーパ
１１５  凸部
１２０  オス部材
１２１  ベース部
１２２  凸部
１２３  オス側開口部
１２４  テーパ
１３０  リベット
１４０  スライドロック
１４１  バネ部
１４２  テーパ
１４３  リブ
【図１】
0006360375.tif 000002
【図２】
0006360375.tif 000003
【図３】
0006360375.tif 000004
【図４】
0006360375.tif 000005
【図５】
0006360375.tif 000006
【図６】
0006360375.tif 000007
【図７】
0006360375.tif 000008
【図８】
0006360375.tif 000009
【図９】
0006360375.tif 000010